(57)【要約】【課題】制御用ユニットにおいて、複数の基板を郭体内に収容する場合に、組立工程を少なくする。【解決手段】伝送ユニット（制御用ユニット）２は、ボディと、電源基板２２と、制御基板２３と、ボディ上に被せられるカバー２４と、を備える。電源基板２２及び制御基板２３は基板面が対向してカバー２４内に固定される。電源基板２２は、制御基板２３を固定するための固定ネジ２３ａの配置位置２３ｂに対応する位置に、当該固定ネジ２３ａの頭の径より大きい径の切り欠き２２ｂを有する。この構成により、コネクタを介して接続された制御基板２３及び電源基板２２を、同じタイミングでカバー２４にネジ止めでき、制御基板２３及び電源基板２２を伝送ユニット２の内部に収容する場合に、組立工程を少なくできる。【選択図】図３
2012227393.tif 000002
【特許請求の範囲】
【請求項１】
第一基板と、前記第一基板の基板面に対向して配置される第二基板と、少なくとも前記第一基板及び前記第二基板を内部に収容する郭体と、を備え、前記第二基板側から挿し込まれる固定ネジを用いて前記第一基板及び前記第二基板のそれぞれを前記郭体の内部に固定する制御用ユニットにおいて、
前記第二基板は、前記第一基板を固定するための固定ネジの配置位置に対応する位置に、当該固定ネジの頭の径より大きい径の切り欠きを有することを特徴とする制御用ユニット。
【発明の詳細な説明】
【技術分野】
【０００１】
本発明は、所定の制御信号に基づいて照明負荷を制御する照明制御システムなどに用いられる制御用ユニットに関する。
【背景技術】
【０００２】
従来より、照明負荷など制御対象の負荷の状態を変化させるための入力端末器と、制御対象の負荷が接続された制御端末器とが信号線を介して伝送ユニット（制御用ユニット）にそれぞれ接続された照明制御システムが知られている。この照明制御システムでは、入力端末器から送信される伝送信号に基づいて、伝送ユニットが、入力端末器に関連付けられたアドレス情報と対応する制御端末器を介して照明負荷を制御する。
【０００３】
このような照明制御システムに用いられる伝送ユニットは複数の基板を内部に収容している。例えば、図５において、伝送ユニット（制御用ユニット）５０は、ボディ５１、電源基板５２、制御基板５３、及び電源基板５２と制御基板５３とを内部に収容するカバー５４を備える。カバー５４には、制御基板５３、電源基板５２及びボディ５１をネジ止めするためのリブ５４ａ，５４ｂ及び５４ｃが形成される。
【０００４】
この伝送ユニット５０の組立工程は、（１）電源基板５２の接続ケーブル５２ｂを制御基板５３に接続する工程、（２）制御基板固定ネジ５３ａをリブ５４ａにネジ止めして、制御基板５３をカバー５４に取り付ける工程、（３）電源基板固定ネジ５２ａをリブ５４ｂにネジ止めして、電源基板５２をカバー５４に取り付ける工程、（４）ボディ・カバー組立ネジ５１ａをリブ５４ｃにネジ止めして、ボディ５１をカバー５４に取り付ける工程の４工程からなる。
【０００５】
また、図６に示すＷｅｂサーバユニットなどの制御用ユニット６０の組立工程は、（１）電源基板５２の接続ケーブル５２ｂを制御基板５３に接続する工程、（２）スペーサ５５を電源基板５２及び制御基板５３の間に挟み込んで、固定ネジ５２ｃ，５３ｂで制御基板５３を電源基板５２に取り付ける工程、（３）電源基板固定ネジ５２ａをリブ５４ｂにネジ止めして、電源基板５２及び制御基板５３をカバー５４に取り付ける工程、（４）ボディ・カバー組立ネジ５１ａをリブ５４ｃにネジ止めして、ボディ５１をカバー５４に取り付ける工程の４工程からなる。
【０００６】
ところで、伝送ユニットを備え、情報通信ネットワークを通じて遠隔監視制御装置側に設けられた負荷の制御ができる遠隔監視制御システムが知られている（例えば、特許文献１参照）。
【先行技術文献】
【特許文献】
【０００７】
【特許文献１】特開平１０−１３６４６６号公報
【発明の概要】
【発明が解決しようとする課題】
【０００８】
しかしながら、上記従来の各制御用ユニット５０，６０の組立工程は、いずれも４工程と多くなり、制御用ユニット５０，６０の組立てに手間や時間を要するという問題がある。
【０００９】
本発明は、上記課題に鑑みてなされたものであり、複数の基板を郭体内に収容する場合に、組立工程を少なくできる制御用ユニットを提供することを目的とする。
【課題を解決するための手段】
【００１０】
上記目的を達成するために本発明は、第一基板と、前記第一基板の基板面に対向して配置される第二基板と、少なくとも前記第一基板及び前記第二基板を内部に収容する郭体と、を備え、前記第二基板側から挿し込まれる固定ネジを用いて前記第一基板及び前記第二基板のそれぞれを前記郭体の内部に固定する制御用ユニットにおいて、前記第二基板は、前記第一基板を固定するための固定ネジの配置位置に対応する位置に、当該固定ネジの頭の径より大きい径の切り欠きを有することを特徴とするものである。
【発明の効果】
【００１１】
本発明によれば、第一基板及び第二基板を固定ネジにより制御用ユニットの郭体内に固定するとき、両基板を同じタイミングでネジ止めでき、組立工程を少なくすることができる。
【図面の簡単な説明】
【００１２】
【図１】本発明の実施の形態に係る照明制御システムの構成図である。
【図２】同上照明制御システムにおける伝送ユニット（制御用ユニット）の分解斜視図である。
【図３】（ａ）同上伝送ユニットのボディを外した状態の底面図、（ｂ）同上伝送ユニットのＡ−Ａ´線断面図、（ｃ）同上伝送ユニット内の固定ネジ領域の拡大図である。
【図４】同上伝送ユニットの組立工程の説明図である。
【図５】従来の伝送ユニットの組立工程の説明図である。
【図６】従来の制御用ユニットの組立工程の説明図である。
【発明を実施するための形態】
【００１３】
本発明の実施の形態に係る制御用ユニットについて図面を参照して説明する。
【００１４】
（実施の形態）
図１は、本実施の形態に係る照明制御システム１の構成を示す。この照明制御システム１は、伝送ユニット（制御用ユニット）２と、リレー制御端末器３と、リモコンリレー４と、リモコントランス５と、スイッチ操作器６と、照明負荷７とを備えている。リレー制御端末器３、及びスイッチ操作器６は、２線式の信号線を介して伝送ユニット２と相互に接続されている。伝送ユニット２との情報のやり取りは、信号線に割り込み式時分割多重伝送方式で伝送される伝送信号を通して行われる。
【００１５】
この照明制御システム１では、室内の壁面などに埋め込まれたスイッチ操作器６などを用いて、複数の照明負荷７から一部の照明負荷７の点灯を省く間引き制御や照明負荷７のオン／オフ状態の操作を行うことができる。
【００１６】
伝送ユニット２は、スイッチ操作器６などからの伝送信号に基づいて、伝送信号に含まれるアドレス情報から制御対象となる照明負荷７を特定すると共に、照明負荷７に対する制御状態（オン、オフや調光状態）を特定する制御用ユニットとしての機能を有する。この伝送ユニット２は、制御対象となる照明負荷７と対応するリレー制御端末器３に対して、照明負荷７のアドレス情報と、その制御状態とを制御指令信号として送信する制御部を有している。
【００１７】
リレー制御端末器３は、リレーの制御状態に応じて照明負荷７の状態を制御する負荷制御端末器としての機能を担っている。リレー制御端末器３は、伝送ユニット２からの伝送信号に基づいて、自己に接続するリモコンリレー４のうち、制御対象となる照明負荷７に対応するリモコンリレー４に対して制御信号を送ることにより、リモコンリレー４の状態を制御する。リモコンリレー４の個々のリレーは、リレー制御端末器３に制御されて、ブレーカ電源（ＡＣ１００又は２００Ｖ）８などからの商用交流をオン／オフすることで、照明負荷７をオン状態やオフ状態にする。
【００１８】
リモコントランス５は、リレー制御端末器３、及びリモコンリレー４に駆動用の電力を供給する。
【００１９】
スイッチ操作器６は、照明負荷７を制御するための制御指令を出力するための入力端末器としての機能を担っている。具体的には、スイッチ操作器６は、例えば室内などの任意の壁面に設置されており、照明負荷７を利用するユーザによってプッシュ操作が可能な端末器である。スイッチ操作器６は、スイッチＳＷ（スイッチ手段）のいずれかが操作されるのに応じて、そのスイッチＳＷに関連付けられているアドレス情報と、スイッチＳＷの操作状態とを制御信号として伝送ユニット２に送信する送受信手段を備えている。
【００２０】
スイッチ操作器６の各スイッチＳＷには、照明負荷７の点灯制御を行うため、アドレス情報として個別アドレスやグループアドレスが設定されている。このスイッチＳＷのプッシュ操作に応じて、アドレスに対応する照明負荷７は、点灯状態へと移行する。なお、スイッチ操作器６は、照明負荷７を制御するための負荷操作器であるが、負荷操作器はこれらに限定されるものではない。すなわち、その他の負荷操作器として、検知された照度に基づいて照明負荷７を制御するためアドレス情報や制御情報を含む制御信号を、伝送信号線を介して伝送ユニット２に対して送信する照度センサが含まれる。また、この負荷操作器には、人体の熱を検出する熱線センサ、年間プログラムや時間帯プログラムに基づいて照明負荷７の点灯状態（オン状態、オフ状態や調光状態）を制御するタイマユニットを用いることもできる。
【００２１】
照明負荷７は、負荷アドレスによって一意に特定することができる。具体的には、リレー制御端末器３には、負荷チャネル（Ｃｈ）と呼ばれる固有の識別子が割り当てられており、リレー制御端末器３に接続するリモコンリレー４には、負荷ナンバー（Ｎｍ）を呼ばれる固有の識別子が割り当てられている。負荷チャネル（Ｃｈ）と、負荷ナンバー（Ｎｍ）とを組み合わせることにより、負荷アドレス（Ｃｈ−Ｎｍ）が構成される。
【００２２】
次に、本実施の形態に係る伝送ユニット２の構造に関して図２及び図３を参照して説明する。伝送ユニット２は、図２に示すように、ボディ（郭体）２１、電源基板（第二基板）２２、制御基板（第一基板）２３、ボディ２１上に被せられるカバー（郭体）２４、及び端子２５を備えている。この伝送ユニット２は、図示していないが、例えばプラグイン方式の分電盤内に設置される。伝送ユニット２の使用時には、図３（ｂ）に示すように、電源基板２２は制御基板２３の基板面に対向して配置されてカバー２４内に固定される。
【００２３】
ボディ２１は、前面に開口を有した略箱形状の樹脂等によって形成されており、カバー２４に形成された基板固定用リブ２４ｂにおいてネジ止めされてカバー２４と連結される。電源基板２２は、図３（ｂ）に示すように、固定ネジ２２ｃを用いて、カバー２４に形成された基板固定用リブ２４ｂにおいてネジ止めされてカバー２４内に収容される。この電源基板２２は、端子２５を介して分電盤側の電源線と接続される。
【００２４】
制御基板２３は、図３（ｂ）に示すように、固定ネジ２３ａを用いて、カバー２４に形成された基板固定用リブ２４ａにおいてネジ止めされてカバー２４内に収容される。制御基板２３は、外部に設けられたリレー制御端末器３やスイッチ操作器６などの信号入出力機能を有する装置を制御するためのＣＰＵ、アプリケーションプログラムを記憶するメモリ部やリレー制御端末器３などとの間で通信信号を送受信する通信部を備える。
【００２５】
これらの電源基板２２及び制御基板２３は、図３（ｂ）に示すように、それぞれ固定ネジ２２ｃ，２３ａを用いてカバー２４に固定される。このように、カバー２４に形成された高さの違う基板固定用リブ２４ａ及び２４ｂに制御基板２３及び電源基板２２を固定することで、制御基板２３及び電源基板２２間の絶縁距離を増加させて耐静電気性を向上できる。
【００２６】
カバー２４は、ボディ２１の上面を覆うためのプラスチック材料（合成樹脂材料）などから成る保護面であり略箱形状で形成される。カバー２４には、電源基板２２、制御基板２３及びボディ２１をネジ止めするためリブ２４ａ，２４ｂ及び２４ｃが形成され、また、端子板ブロックを介して電源基板２２に接続される端子２５が外側から取り付けられる。端子２５は、伝送ユニット２にＡＣ１００ＶやＡＣ２００Ｖの電力を供給するための電力線と接続される。
【００２７】
次に、伝送ユニット２内に収容される電源基板２２の形状に関して図３を参照して説明する。図３（ｃ）に示すように、電源基板２２には、固定ネジ２２ｃの頭の配置位置２２ｄに、固定ネジ２２ｃを用いて電源基板２２をカバー２４にネジ止めするための切り欠き２２ａが形成される。また、電源基板２２には、制御基板２３を固定ネジ２３ａを用いてカバー２４にネジ止めするため、制御基板２３の固定ネジ２３ａの配置位置２３ｂに対応する位置に、この固定ネジ２３ａの頭の径より大きい切り欠き２２ｂが形成される。すなわち、電源基板２２には、該電源基板２２をカバー２４にネジ止めするための切り欠き２２ａと、制御基板２３をカバー２４にネジ止めするために用いる切り欠き２２ｂとが複数個所において形成される。
【００２８】
次に、本実施の形態に係る伝送ユニット２の組立工程に関して図４を参照して説明する。この組立工程において、例えばカバー２４はボディ２１より下方に配置され、制御基板２３及び電源基板２２は、カバー２４の開口面を上方に向けた状態でカバー２４にネジ止めする作業がなされる。また、電源基板２２は制御基板２３の上方に配置されている。伝送ユニット２の組立工程は、（１）電源基板２２と制御基板２３とをコネクタ２６を用いて接続する工程、（２）電源基板２２に形成された切り欠き２２ａ，２２ｂの領域において、固定ネジ２２ｃ，２３ａを用いて電源基板２２及び制御基板２３をカバー２４に取り付ける工程、（３）ボディ・カバー組立ネジ２１ａを用いてボディ２１をカバー２４に取り付ける工程の３工程からなる。なお、上記（２）の工程において端子２５が電源基板２２に半田付けされる。なお、伝送ユニット２の組立工程時において、電源基板２２及び制御基板２３の配置は上下配置に限定されるものではなく、両基板２２，２３が左右方向に配置されて伝送ユニット２内に固定されるものでも構わない。
【００２９】
以上のように、伝送ユニット２の組立て時に制御基板２３の上方に配置される電源基板２２は、制御基板２３を固定するための固定ネジ２３ａの配置位置２３ｂに対応する位置に、当該固定ネジ２３ａの頭の径より大きい径の切り欠き２２ｂを有する。このため、コネクタ２６により接続された制御基板２３及び電源基板２２を、同じタイミングでカバー２４にネジ止めできるため（上記工程（２））、組立工程が３工程となり、従来の組立工程と比較して１工程削減できる。従って、複数の基板となる電源基板２２及び制御基板２３を伝送ユニット２内に収容する場合に、組立工程を少なくして、組立て時に要する手間や時間を改善できる。
【００３０】
また、本発明では、カバー２４に形成する基板固定用リブの数を増やすことで、基板を伝送ユニット２内に３枚以上収容して伝送ユニット２を組み立てる場合にも、組立工程自体の数は変えず組み立てることができる。
【００３１】
なお、本発明は、上記実施形態の構成に限られず、発明の趣旨を変更しない範囲で種々の変形が可能である。例えば、本発明は、制御用ユニット（伝送ユニット２）の特徴的な組立工程を含む制御用ユニットの組立方法として実現したり、コンピュータに各工程を実行させるためのプログラムとして実現することもできる。また、上記実施の形態では、制御用ユニットのカバーに基板を収容する場合に関して説明したが、ボディに基板を収容した制御用ユニットにも適用できる。さらに、本発明は、伝送ユニット２への適用に限定されるものではなく、複数の基板を郭体内に収容する他の装置においても適用できる。
【符号の説明】
【００３２】
１  照明制御システム
２  伝送ユニット（制御用ユニット）
３  リレー制御端末器
４  リモコンリレー
５  リモコントランス
６  スイッチ操作器
７  照明負荷
２１  ボディ（郭体）
２１ａ  ボディ・カバー組立ネジ
２２  電源基板（第二基板）
２２ａ，２２ｂ  切り欠き
２２ｃ  固定ネジ
２３  制御基板（第一基板）
２３ａ  固定ネジ
２４  カバー（郭体）
２４ａ，２４ｂ  基板固定用リブ
２４ｃ  リブ
２５  端子
２６  コネクタ
【図１】
2012227393.tif 000003
【図２】
2012227393.tif 000004
【図３】
2012227393.tif 000005
【図４】
2012227393.tif 000006
【図５】
2012227393.tif 000007
【図６】
2012227393.tif 000008